(57)【特許請求の範囲】
【請求項１】
運転周波数可変の圧縮機を備えた１台の室外機と複数の室内機から成るマルチエアコンの制御方法において、
前記圧縮機の運転周波数に対応する運転コードを段階的に設定しておき、前記室内機の運転台数に応じて前記運転コードを選択し、選択した前記運転コードに基づいて前記圧縮機の運転周波数を制御する制御方法であって、
前記室内機の運転台数が増えると前記圧縮機の運転周波数を大きくするとともに、該運転台数が多くなるほど前記運転周波数の増加量を小さくする前記運転コードを選択し、
前記室内機の運転台数が減ると前記圧縮機の運転周波数を小さくするとともに、該運転台数が少なくなるほど前記運転周波数の減少量を小さくする前記運転コードを選択し、
選択した前記運転コードに基づいて前記圧縮機の運転周波数を制御することを特徴とするマルチエアコンの制御方法。
【請求項２】
運転周波数可変の圧縮機を備えた１台の室外機と複数の室内機から成るマルチエアコンの制御方法において、
前記圧縮機の運転周波数に対応する運転コードを段階的に設定しておき、前記室内機の運転台数に応じて前記運転コードを選択し、選択した前記運転コードに基づいて前記圧縮機の運転周波数を更新する制御方法であって、
前記室内機の運転台数が増えると前記圧縮機の運転周波数を大きくするとともに、更新前の運転周波数が大きいほど更新する運転周波数の増加量を小さくする前記運転コードを選択し、
前記室内機の運転台数が減ると前記圧縮機の運転周波数を小さくするとともに、更新前の運転周波数が小さいほど更新する運転周波数の減少量を小さくする前記運転コードを選択し、
選択した前記運転コードに基づいて前記圧縮機の運転周波数を更新することを特徴とするマルチエアコンの制御方法。
【請求項３】
運転周波数可変の圧縮機を備えた１台の室外機と複数の室内機から成るマルチエアコンの制御方法において、
前記圧縮機の運転周波数に対応する運転コードを段階的に設定しておき、
前記室内機の設定温度と該室内機が設置された部屋の室温との差に応じて前記運転コードを選択し、選択した前記運転コードに基づいて前記圧縮機の運転周波数を制御する制御方法であって、
前記室内機の運転台数が増えると前記圧縮機の運転周波数を大きくするとともに、前記差が小さいほど前記運転周波数の増加量を小さくする前記運転コードを選択し、
前記室内機の運転台数が減ると前記圧縮機の運転周波数を小さくするとともに、前記差が小さいほど前記運転周波数の減少量を小さくする前記運転コードを選択し、
選択した前記運転コードにより前記圧縮機の運転周波数を制御することを特徴とするマルチエアコンの制御方法。
【発明の詳細な説明】
【０００１】
【発明の属する技術分野】
本発明は、インバータ制御により運転周波数が可変となった圧縮機を有する室外機１台と、複数の室内機とを組み合わせて運転を行うマルチエアコンの制御方法に関するものである。
【０００２】
【従来の技術】
マルチエアコンは１台の室外機と複数の室内機とを組み合わせて運転を行うものであり、その一般的な制御方法は特開平１０−２２０８４４号公報にて開示されている。この制御方法では、室外機の圧縮機がインバータ制御によって運転周波数が可変となっているので、各室内機から送られてくる要求能力の総和に応じた周波数で圧縮機を運転させる。
【０００３】
【発明が解決しようとする課題】
しかしながら、上記従来の制御方法では、室内機の運転台数が増減したとき条件によっては圧縮機の運転周波数が大きく変化することがある。その場合、室内機が運転中であった部屋では室温が急激に変化して、室内の快適性が損なわれるおそれがあった。
【０００４】
本発明は上記課題をかんがみて成されたものであり、室内機の運転台数の増減によって圧縮機の運転周波数が変化しても各部屋の快適性が保たれるマルチエアコンの制御方法を提供することを目的とする。
【０００５】
【課題を解決するための手段】
上記目的を達成するために、本発明のマルチエアコンの制御方法は、運転周波数可変の圧縮機を備えた１台の室外機と複数の室内機から成るマルチエアコンの制御方法において、前記圧縮機の運転周波数に対応する運転コードを段階的に設定しておき、前記室内機の運転台数に応じて前記運転コードを選択し、選択した前記運転コードに基づいて前記圧縮機の運転周波数を制御する制御方法であって、前記室内機の運転台数が増えると前記圧縮機の運転周波数を大きくするとともに、該運転台数が多くなるほど前記運転周波数の増加量を小さくする前記運転コードを選択し、前記室内機の運転台数が減ると前記圧縮機の運転周波数を小さくするとともに、該運転台数が少なくなるほど前記運転周波数の減少量を小さくする前記運転コードを選択し、選択した前記運転コードに基づいて前記圧縮機の運転周波数を制御することを特徴とする。
従って、室内機の運転台数が大幅に増えても圧縮機の運転周波数は急激に増加しない。また、室内機の運転台数が大幅に減っても圧縮機の運転周波数は急激に減少しない。
【０００７】
また、本発明のマルチエアコンの制御方法は、運転周波数可変の圧縮機を備えた１台の室外機と複数の室内機から成るマルチエアコンの制御方法において、前記圧縮機の運転周波数に対応する運転コードを段階的に設定しておき、前記室内機の運転台数に応じて前記運転コードを選択し、選択した前記運転コードに基づいて前記圧縮機の運転周波数を更新する制御方法であって、前記室内機の運転台数が増えると前記圧縮機の運転周波数を大きくするとともに、更新前の運転周波数が大きいほど更新する運転周波数の増加量を小さくする前記運転コードを選択し、前記室内機の運転台数が減ると前記圧縮機の運転周波数を小さくするとともに、更新前の運転周波数が小さいほど更新する運転周波数の減少量を小さくする前記運転コードを選択し、選択した前記運転コードに基づいて前記圧縮機の運転周波数を更新することを特徴とする。
従って、圧縮機が大きい運転周波数で運転していたのであれば、室内機の運転台数が増えても運転周波数はあまり増加しない。また、圧縮機が小さい運転周波数で運転していたのであれば、室内機の運転台数が減っても運転周波数はあまり減少しない。
【０００９】
また、本発明のマルチエアコンの制御方法は、運転周波数可変の圧縮機を備えた１台の室外機と複数の室内機から成るマルチエアコンの制御方法において、前記圧縮機の運転周波数に対応する運転コードを段階的に設定しておき、前記室内機の設定温度と該室内機が設置された部屋の室温との差に応じて前記運転コードを選択し、選択した前記運転コードに基づいて前記圧縮機の運転周波数を制御する制御方法であって、前記室内機の運転台数が増えると前記圧縮機の運転周波数を大きくするとともに、前記差が小さいほど前記運転周波数の増加量を小さくする前記運転コードを選択し、前記室内機の運転台数が減ると前記圧縮機の運転周波数を小さくするとともに、前記差が小さいほど前記運転周波数の減少量を小さくする前記運転コードを選択し、選択した前記運転コードにより前記圧縮機の運転周波数を制御することを特徴とする。
従って、室温が室内機の設定温度にほぼ達していれば運転周波数をあまり大きくしない。また、室温が室内機の設定温度にほぼ達していれば運転周波数をあまり小さくしない。
【００１０】
また、本発明の他の制御方法では、室内機の運転台数が減ると圧縮機の運転周波数を小さくし、運転を停止した室内機の設定温度と該室内機が設置された部屋の室温との差が小さいほど運転周波数の減少量を小さくする。従って、室温が室内機の設定温度にほぼ達していれば運転周波数をあまり小さくしない。
【００１１】
【発明の実施の形態】
以下、本発明の実施形態について図面を参照して説明する。
【００１２】
先ず、本発明に係る第１実施形態について説明する。図１は本実施形態のマルチエアコンにおける冷凍サイクルの説明図である。このマルチエアコンは、１台の室外機１と４台の室内機２，・・・とから成る。
【００１３】
室外機１には、インバータ制御により運転周波数を変えることができる圧縮機３と、室外熱交換器４と、該室外熱交換器４に送風するための室外ファン５及びファンモータ６と、アキュームレータ７と、室外機１内を流れる冷媒量を制御するためのストップバルブ８，８’とが設けられている。また、該室外機１内には各室内機２，・・・に流入する冷媒量を制御するために各室内機２，・・・に対応して膨張弁９，・・・が設けられている。
【００１４】
また、各室内機２，・・・には室内熱交換器１０，・・・と、該室内熱交換器１０に送風するための室内ファン１１，・・・及びファンモータ１２，・・・と、室温を検出するためのサーミスタ１３，・・・とが設けられている。
【００１５】
このマルチエアコンの制御は次のようにして行われる。即ち、室外機１に設けられた図示しない制御回路のマイコンは、各室内機２，・・・での設定温度とサーミスタ１３，・・・によって検出された室温情報との差から必要冷媒循環量を求める。そして、該必要冷媒循環量に応じて圧縮機３の運転周波数及び膨張弁９，・・・の開度を制御することで各室内機２，・・・に適量の冷媒を循環させ、各部屋の温度を制御する。
【００１６】
上記構成のマルチエアコンにおいて、室内機２を運転及び停止させたときの圧縮機３の運転周波数の制御について説明する。図２はこの制御のフローチャートを示している。マイコンが室内機２の運転のＯＮ／ＯＦＦを検出するとフローチャートはスタートし、ステップＳ５で室内機２の運転台数を検出した後、ステップＳ１０でそのときの圧縮機３の運転周波数の運転コードｚを求める。ここで、運転周波数と運転コードとの対応を表１に示す。
【００１７】
【表１】
0003596750.tif 000002
【００１８】
そして、ステップＳ１５において運転台数の増減を判断し、運転台数が増えた場合はステップＳ２０に進む。このステップＳ２０では、表２を用いて室内機２の運転台数に対応した運転コード変化量Ｄを決定する。
【００１９】
【表２】
0003596750.tif 000003
【００２０】
次のステップＳ２５では次式（Ａ）より新たな運転コードＺを決定する。
Ｚ＝ｚ＋Ｄ・・・・・  （Ａ）
ここで、Ｚ：新たな運転コード、
ｚ：室内機２の運転台数が増減する前の運転コード、
Ｄ：運転コードの変化量
である。そして、ステップＳ３０では圧縮機３の運転周波数を運転コードＺに対応する運転周波数に更新する。該運転コードＺと運転周波数との対応は表１を参照する。
【００２１】
例えば、運転周波数が３５Ｈｚのときに３台目の室内機２が運転を開始したとする。表１より「ｚ＝３」、表２より「Ｄ＝＋２」が導かれ、
Ｚ＝ｚ＋Ｄ＝３＋２＝５
となる。従って、表１より運転周波数は４５Ｈｚに更新すればよい。
【００２２】
また、図２に示すステップＳ１５において、運転台数が減った場合はステップＳ３５に進む。このステップＳ３５では、表３を用いて室内機２の運転台数に対応した運転コード変化量Ｄを決定する。
【００２３】
【表３】
0003596750.tif 000004
【００２４】
次のステップＳ２５では上記式（Ａ）より新たな運転コードＺを決定する。そして、ステップＳ３０では圧縮機３の運転周波数を運転コードＺに対応する運転周波数に更新する。
【００２５】
例えば、運転周波数が５５Ｈｚのときに３台目の室内機２が運転を開始したとする。表１より「ｚ＝７」、表２より「Ｄ＝−２」が導かれ、
Ｚ＝ｚ＋Ｄ＝７−２＝５
となる。従って、表１より運転周波数は４５Ｈｚに更新すればよい。
【００２６】
上記第１実施形態の制御方法では、室内機２の運転台数に応じて圧縮機３の運転周波数を増減させるが、運転台数が多くなるほど運転周波数の変化量を小さくしている。従って、運転台数が大幅に増減して運転周波数が更新されても、室内機２が運転中であった部屋の室温が大きく変わることがない。
【００２７】
次に、本発明に係る第２実施形態について説明する。本実施形態は室内機２を運転及び停止させたときの圧縮機３の運転周波数の制御だけが第１実施形態と異なっており、それ以外の構成は同じである。
【００２８】
図３は本実施形態の制御のフローチャートを示している。マイコンが室内機２の運転のＯＮ／ＯＦＦを検出するとフローチャートがスタートし、ステップＳ５で室内機２の運転台数を検出した後、ステップＳ１０でそのときの圧縮機３の運転周波数の運転コードｚを求める。運転周波数と運転コードとの対応は表１を参照する。
【００２９】
そして、ステップＳ１５において運転台数の増減を判断し、運転台数が増えた場合はステップＳ２０に進む。このステップＳ２０では、室内機２の運転台数とステップＳ１０で得られた運転コードｚとに対応した運転コード変化量Ｄを、表４を用いて決定する。
【００３０】
【表４】
0003596750.tif 000005
【００３１】
次のステップＳ２５では上記式（Ａ）より運転コードＺを決定する。そして、ステップＳ３０では圧縮機３の運転周波数を運転コードＺに対応する運転周波数に更新する。該運転コードＺと運転周波数との対応は表１を参照する。
【００３２】
例えば、運転周波数が３５Ｈｚのときに３台目の室内機２が運転を開始したとする。表１より「ｚ＝３」、表４より「Ｄ＝＋２」が導かれ、
Ｚ＝ｚ＋Ｄ＝３＋２＝５
となる。従って、表１より運転周波数は４５Ｈｚに更新すればよい。
【００３３】
また、図３に示すステップＳ１５において、運転台数が減った場合はステップＳ３５に進む。このステップＳ３５では、室内機２の運転台数とステップＳ１０で検出した運転コードｚとに対応した運転コード変化量Ｄを、表５を用いて決定する。
【００３４】
【表５】
0003596750.tif 000006
【００３５】
次のステップＳ２５では上記式（Ａ）より新たな運転コードＺを決定する。そして、ステップＳ３０では圧縮機３の運転周波数を運転コードＺに対応する運転周波数に更新する。
【００３６】
例えば、運転周波数が５５Ｈｚのときに３台目の室内機２が運転を停止したとする。表１より「ｚ＝７」、表５より「Ｄ＝−１」が導かれ、
Ｚ＝ｚ＋Ｄ＝７−１＝６
となる。従って、表１より運転周波数は５０Ｈｚに更新すればよい。
【００３７】
上記第２実施形態の制御方法は、第１実施形態と同様に運転台数が多くなるほど運転周波数の変化量を小さくしているので、運転台数が大幅に増減しても室内機２が運転中であった部屋の室温が大きく変わることがない。
【００３８】
また、圧縮機３が大きい運転周波数で運転しているときに室内機２の運転台数が増えた場合、及び圧縮機３が小さい運転周波数で運転しているときに室内機２の運転台数が減った場合は、運転周波数の変化量を小さくしている。これによって、運転周波数が増減しても室内機２が運転中であった部屋の室温が必要以上に変化しない。
【００３９】
次に、本発明に係る第３実施形態について説明する。本実施形態は室内機２を運転及び停止させたときの圧縮機３の運転周波数の制御だけが第１実施形態と異なっており、それ以外の構成は同じである。
【００４０】
図４は本実施形態の制御のフローチャートを示している。マイコンが室内機２の運転のＯＮ／ＯＦＦを検出するとフローチャートがスタートし、ステップＳ５で室内機２の運転台数を検出した後、ステップＳ１０でそのときの圧縮機の運転周波数の運転コードｚを求める。運転周波数と運転コードとの対応は表１を参照する。
【００４１】
そして、ステップＳ１２でＯＮ／ＯＦＦした室内機２で検出された室温と設定温度との差より要求運転ゾーン（ａ，ｂ，ｃ）を求める。室温と設定温度との差〓ｔと、要求運転ゾーンとの対応は表６を参照する。
【００４２】
【表６】
0003596750.tif 000007
【００４３】
次のステップＳ１５では運転台数の増減を判断し、運転台数が増えた場合はステップＳ２０に進む。このステップＳ２０では、室内機２の運転台数、ステップＳ１０で得られた運転コードｚ、及び要求運転ゾーンに対応した運転コード変化量Ｄを表７を用いて決定する。
【００４４】
【表７】
0003596750.tif 000008
【００４５】
次のステップＳ２５では上記式（Ａ）より運転コードＺを決定する。そして、ステップＳ３０では圧縮機３の運転周波数を運転コードＺに対応する運転周波数に更新する。該運転コードＺと運転周波数との対応は表１を参照する。
【００４６】
例えば、運転周波数が３５Ｈｚのときに３台目の室内機２が運転を開始したとする。このとき、要求運転ゾーンが「ａ」であれば、表１より「ｚ＝３」、表７より「Ｄ＝＋２」が導かれ、
Ｚ＝ｚ＋Ｄ＝３＋２＝５
となる。従って、表１より運転周波数は４５Ｈｚに更新すればよい。
【００４７】
また、図４に示すステップＳ１５において、運転台数が減った場合はステップＳ３５に進む。このステップＳ３５では、室内機２の運転台数、ステップＳ１０で検出した運転コードｚ、及び要求運転ゾーンに対応した運転コード変化量Ｄを表８を用いて決定する。
【００４８】
【表８】
0003596750.tif 000009
【００４９】
次のステップＳ２５では上記式（Ａ）より新たな運転コードＺを決定する。そして、ステップＳ３０では圧縮機３の運転周波数を運転コードＺに対応する運転周波数に更新する。
【００５０】
例えば、運転周波数が５５Ｈｚのときに３台目の室内機２が運転を停止したとする。このとき、要求運転ゾーンが「ａ」であれば、表１より「ｚ＝７」、表８より「Ｄ＝−２」が導かれ、
Ｚ＝ｚ＋Ｄ＝７−２＝５
となる。従って、表１より運転周波数は４５Ｈｚに更新すればよい。
【００５１】
上記第３実施形態の制御方法は、第１実施形態と同様に運転台数が多くなるほど運転周波数の変化量を小さくしているので、運転台数が大幅に増減しても室内機２が運転中であった部屋の室温が大きく変わることがない。
【００５２】
また、第２実施形態と同様に、圧縮機３が大きい運転周波数で運転しているときに室内機２の運転台数が増えた場合や、圧縮機３が小さい運転周波数で運転しているときに室内機２の運転台数が減った場合は、運転周波数の変化量を小さくしている。これによって、運転周波数が増減しても室内機２が運転中であった部屋の室温が必要以上に変化しない。
【００５３】
さらに、要求運転ゾーンが「ｃ」の場合、即ち室温と設定温度との差がほとんどない場合は、運転台数が増減しても運転周波数の変化量を小さくしている。従って、適温に保たれた部屋の室温をなるべく変化させない。
【００５４】
【発明の効果】
以上説明したように、本発明のマルチエアコンの制御方法は、室内機の運転台数が大幅に増減しても圧縮機の運転周波数は大きく変化しない。従って、室内機が運転中であった部屋では室温があまり変わらない。
【００５５】
また、大きい運転周波数で運転中に室内機の運転台数が増えてさらに運転周波数を増加させる場合や、小さい運転周波数で運転中に室内機の運転台数が減ってさらに運転周波数を減少させる場合は、運転周波数の変化量を小さくしている。従って、必要以上に室温が上下することを防止する。
【００５６】
また、室内機の運転台数が増減して運転周波数を更新するとき、室内機が運転中であった部屋の室温と設定温度との差によってこの運転周波数を決定する。従って、室温が設定温度に近ければ運転周波数の変化量を小さくすることで必要以上に室温が上下することを防止する。
【００５７】
このように、本発明にマルチエアコンの制御方法によると、室内機の運転台数が増減して運転周波数が変化しても、室内の快適性は保たれる。
【図面の簡単な説明】
【図１】本発明に係る第１実施形態のマルチエアコンの冷凍サイクルを示す構成図である。
【図２】第１実施形態の制御方法を示すフローチャートである。
【図３】第２実施形態の制御方法を示すフローチャートである。
【図４】第３実施形態の制御方法を示すフローチャートである。
【符号の説明】
１    室外機
２    室内機
３    圧縮機
４    室外熱交換器
５    室外ファン
６    ファンモータ
７    アキュームレータ
８    ストップバルブ
９    膨張弁
１０    室内熱交換器
１１    室内ファン
１２    ファンモータ
１３    サーミスタ
【図１】
0003596750.tif 000010
【図２】
0003596750.tif 000011
【図３】
0003596750.tif 000012
【図４】
0003596750.tif 000013